(57)【要約】【課題】プラズマディスプレイパネルの駆動状態に応じてプラズマディスプレイパネルの熱破壊や焼付をより適切に防止できるようにする。【解決手段】プラズマディスプレイ装置において、プラズマディスプレイパネルにおける表示画像データの表示負荷率を検出し、検出した表示負荷率に応じて決定された印加可能な所定時間あたりのサステインパルス数と予め設定した制御目標サステインパルス数との差分を算出し、その差分の大きさに応じて増減量を変化させて、プラズマディスプレイパネルに印加するサステインパルス数の制御に係る制御動作カウンタを増減させるようにして、制御目標サステインパルス数を超えた頻度だけでなく、その差分も考慮してプラズマディスプレイパネルに印加するサステインパルス数の制御を行えるようにする。【選択図】図４
2010164840.tif 000002
【特許請求の範囲】
【請求項１】
２電極間で放電を行う複数の電極群を持つプラズマディスプレイパネルと、前記プラズマディスプレイパネルの電極群に電圧を印加して駆動する駆動回路と、前記駆動回路を制御する制御回路とを有するプラズマディスプレイ装置の駆動方法であって、
前記制御回路は、前記プラズマディスプレイパネルにおける表示画像データの表示負荷率を検出し、前記表示負荷率に応じて決定された印加可能な所定時間あたりのサステインパルス数と予め設定した制御目標サステインパルス数との差分を算出し、前記差分の大きさに応じて増減量を変化させて、前記プラズマディスプレイパネルに印加するサステインパルス数の制御に係る制御動作カウンタを増減させるカウント動作を行うことを特徴とするプラズマディスプレイ装置の駆動方法。
【請求項２】
前記制御回路は、前記制御動作カウンタのカウンタ値が第１の値を超えた場合に、前記プラズマディスプレイパネルに印加するサステインパルス数を前記制御目標サステインパルス数まで減少させるように制御することを特徴とする請求項１記載のプラズマディスプレイ装置の駆動方法。
【請求項３】
前記制御回路は、複数のフレーム分の期間をかけて、前記プラズマディスプレイパネルに印加するサステインパルス数を前記制御目標サステインパルス数まで減少させることを特徴とする請求項２記載のプラズマディスプレイ装置の駆動方法。
【請求項４】
前記制御回路は、前記プラズマディスプレイパネルに印加するサステインパルス数を前記制御目標サステインパルス数まで減少させるように制御している際に、前記制御動作カウンタのカウンタ値が第２の値以下となった場合には、前記プラズマディスプレイパネルに印加するサステインパルス数を前記制御目標サステインパルス数まで減少させる制御を停止することを特徴とする請求項２又は３記載のプラズマディスプレイ装置の駆動方法。
【請求項５】
前記制御回路は、１フレーム期間毎に前記差分の大きさに応じて増減量を変化させて前記制御動作カウンタのカウント動作を行うことを特徴とする請求項１〜４の何れか１項に記載のプラズマディスプレイ装置の駆動方法。
【請求項６】
前記制御回路は、前記表示負荷率を複数の領域別に検出するとともに、前記機能動作カウンタに前記複数の領域に対応する複数の領域別カウンタを有し、検出された前記表示負荷率に応じて選択した領域の前記領域別カウンタだけ前記カウント動作を行うことを特徴とする請求項１〜５の何れか１項に記載のプラズマディスプレイ装置の駆動方法。
【請求項７】
前記制御回路は、前記表示負荷率を複数の領域別に検出し、画面全体の表示負荷率と前記領域別の表示負荷率との差を分散値として分割した領域の数だけ加算していき、前記分散値が所定の値を超えた場合に前記カウント動作を行うことを特徴とする請求項１〜６の何れか１項に記載のプラズマディスプレイ装置の駆動方法。
【請求項８】
前記制御回路は、前記分散値に少なくとも一つのサブフィールド表示負荷率をかけることで熱分散値とし、前記熱分散値が所定の値を超えた場合に前記カウント動作を行うことを特徴とする請求項７記載のプラズマディスプレイ装置の駆動方法。
【請求項９】
前記制御回路は、前記表示負荷率を複数の領域別に検出し、現在のフレームにおける前記領域別の表示負荷率と１つ前のフレームにおける前記領域別の表示負荷率との差が所定の値より小さい場合に前記カウント動作を行うことを特徴とする請求項１〜８の何れか１項に記載のプラズマディスプレイ装置の駆動方法。
【請求項１０】
前記制御回路は、前記表示負荷率をサブフィールド毎に検出し、少なくとも一つのサブフィールドの表示負荷率が所定の値を超えている場合に前記カウント動作を行うことを特徴とする請求項１〜９の何れか１項に記載のプラズマディスプレイ装置の駆動方法。
【請求項１１】
前記プラズマディスプレイ装置に係る環境温度を検出し、検出された前記環境温度に応じて前記制御目標サステインパルス数を変化させることを特徴とする請求項１〜１０の何れか１項に記載のプラズマディスプレイ装置の駆動方法。
【請求項１２】
前記プラズマディスプレイ装置のファンの動作状態に応じて、前記制御目標サステインパルス数を変化させることを特徴とする請求項１〜１１の何れか１項に記載のプラズマディスプレイ装置の駆動方法。
【請求項１３】
２電極間で放電を行う複数の電極群を持つプラズマディスプレイパネルと、前記プラズマディスプレイパネルの電極群に電圧を印加して駆動する駆動回路と、前記駆動回路を制御する制御回路とを有するプラズマディスプレイ装置であって、
前記制御回路は、
前記プラズマディスプレイパネルにおける表示画像データの表示負荷率を検出する表示負荷率検出手段と、
前記表示負荷率検出手段で検出された表示負荷率に応じて決定された印加可能な所定時間あたりのサステインパルス数と予め設定した制御目標サステインパルス数との差分を算出する比較手段と、
前記比較手段の結果に応じてカウンタ値が増減される機能動作カウンタと、
前記機能動作カウンタのカウンタ値に応じて、前記プラズマディスプレイパネルに印加するサステインパルス数を制御する制御手段とを有し、
前記比較手段で算出された前記差分の大きさに応じて増減量を変化させ、前記制御動作カウンタのカウンタ値を増減させることを特徴とするプラズマディスプレイ装置。
【請求項１４】
前記制御回路は、前記表示画像データの表示負荷率を複数の領域別に検出する領域別表示負荷率検出手段を有し、
かつ前記機能動作カウンタは、前記複数の領域に対応する複数の領域別カウンタを有し、
前記領域別表示負荷率検出手段で検出された前記領域別の表示負荷率に応じて選択された領域の前記領域別カウンタだけ、前記比較手段で算出された前記差分の大きさに応じて増減量を変化させてカウンタ値を増減させることを特徴とする請求項１３記載のプラズマディスプレイ装置。
【発明の詳細な説明】
【技術分野】
【０００１】
本発明は、プラズマディスプレイ装置及びその駆動方法に関する。
【背景技術】
【０００２】
プラズマディスプレイ装置において、プラズマディスプレイパネルの熱破壊や焼付を防止する方法として、総発光回数を監視し、所定の基準値を越えた状態がある頻度以上発生した場合には総発光回数を減少させ、所定の基準値を下回る状態がある頻度以上発生した場合には総発光回数を増加させる方法が提案されている（例えば、特許文献１参照。）。また、前記提案を最適に使用するための方法も提案されている（例えば、特許文献２参照。）。
【０００３】
【特許文献１】特開２００２−９９２４２号公報
【特許文献２】特開２００４−４５８８６号公報
【発明の開示】
【発明が解決しようとする課題】
【０００４】
しかしながら、前記特許文献１や前記特許文献２等に提案された方法では、総発光回数が基準値を越えた頻度に応じて総発光回数の制御が行われていた。
本発明の目的は、プラズマディスプレイパネルの駆動状態に応じてプラズマディスプレイパネルの熱破壊や焼付をより適切に防止できるプラズマディスプレイ装置及びその駆動方法を提供することである。
【課題を解決するための手段】
【０００５】
本発明の一観点によれば、２電極間で放電を行う複数の電極群を持つプラズマディスプレイパネルと、前記プラズマディスプレイパネルの電極群に電圧を印加して駆動する駆動回路と、前記駆動回路を制御する制御回路とを有するプラズマディスプレイ装置の駆動方法であって、前記制御回路は、前記プラズマディスプレイパネルにおける表示画像データの表示負荷率を検出し、前記表示負荷率に応じて決定された印加可能な所定時間あたりのサステインパルス数と予め設定した制御目標サステインパルス数との差分を算出し、前記差分の大きさに応じて増減量を変化させて、前記プラズマディスプレイパネルに印加するサステインパルス数の制御に係る制御動作カウンタを増減させるカウント動作を行うことを特徴とするプラズマディスプレイ装置の駆動方法が提供される。
【発明の効果】
【０００６】
検出された表示負荷率に応じて決定された印加可能な所定時間あたりのサステインパルス数が制御目標サステインパルス数を超えた頻度だけでなく、その差分も考慮してプラズマディスプレイパネルに印加するサステインパルス数の制御を行うことができ、プラズマディスプレイパネルの熱破壊や焼付を防止することができる。
【発明を実施するための最良の形態】
【０００７】
以下、本発明の実施形態を図面に基づいて説明する。
【０００８】
（第１の実施形態）
本発明の第１の実施形態について説明する。
図１は、第１の実施形態におけるプラズマディスプレイ装置の構成例を示す図である。本実施形態におけるプラズマディスプレイ装置は、プラズマディスプレイパネル１、Ｘ駆動回路２、Ｙ駆動回路３、アドレス駆動回路４、及び制御回路５を有する。
【０００９】
Ｘ駆動回路２は、維持放電を繰り返す回路からなり、プラズマディスプレイパネル１に形成されたＸ電極（維持電極）Ｘ１、Ｘ２、…に所定の電圧を供給する。以下、Ｘ電極Ｘ１、Ｘ２、…の各々を又はそれらの総称を、Ｘ電極Ｘｉともいい、ｉは添え字を意味する。
【００１０】
Ｙ駆動回路３は、線順次走査して表示すべき行を選択する回路、及び維持放電を繰り返す回路からなり、プラズマディスプレイパネル１に形成されたＹ電極（走査電極）Ｙ１、Ｙ２、…に所定の電圧を供給する。以下、Ｙ電極Ｙ１、Ｙ２、…の各々を又はそれらの総称を、Ｙ電極Ｙｉともいい、ｉは添え字を意味する。
【００１１】
アドレス駆動回路４は、表示すべき列を選択する回路からなり、プラズマディスプレイパネル１に形成されたアドレス電極Ａ１、Ａ２、…に所定の電圧を供給する。以下、アドレス電極Ａ１、Ａ２、…の各々を又はそれらの総称を、アドレス電極Ａｊともいい、ｊは添え字を意味する。
【００１２】
制御回路５は、外部から入力される入力信号（表示画像データ、クロック信号、水平同期信号、及び垂直同期信号等）に基づいて制御信号を生成する。制御回路５は、生成した制御信号をＸ駆動回路２、Ｙ駆動回路３、及びアドレス駆動回路４に供給し、これら駆動回路２、３、４を制御する。
【００１３】
プラズマディスプレイパネル１では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置されて表示ラインを構成する。すなわち、Ｙ電極Ｙｉ及びＸ電極Ｘｉは互いに平行に配置されて、アドレス電極ＡｊはＹ電極Ｙｉ及びＸ電極Ｘｉに略垂直な方向に配置される。Ｙ電極Ｙｉ及びアドレス電極Ａｊは、ｉ行ｊ列の２次元行列を形成する。
【００１４】
セルＣｉｊは、Ｙ電極Ｙｉ及びアドレス電極Ａｊの交点並びにそれに対応して隣接するＸ電極Ｘｉにより形成される。このセルＣｉｊが、例えば赤色、緑色、青色のサブピクセルに対応し、これら３色のサブピクセルで１画素が構成される。パネル１は２次元配列された複数の画素の点灯により画像を表示する。Ｙ駆動回路３の線順次走査して表示すべき行を選択する回路とアドレス駆動回路４とによってどこのセルを点灯させるかを決め、Ｘ駆動回路２とＹ駆動回路３とによって繰り返し放電を行うことにより、プラズマディスプレイ装置での表示動作が行われる。
【００１５】
図２は、本実施形態におけるプラズマディスプレイパネル１の構成例を示す分解斜視図である。
【００１６】
前面ガラス基板１１上に、バス電極（金属電極）１２と透明電極１３からなる表示電極（サステイン電極ともいう。）が形成されている。表示電極（１２、１３）は、図１に示したＹ電極Ｙｉ及びＸ電極Ｘｉに対応する。表示電極（１２、１３）の上には、誘電体層１４が設けられ、さらにその上には、ＭｇＯ（酸化マグネシウム）保護層１５が設けられている。すなわち、前面ガラス基板１１に配置された表示電極（１２、１３）は、誘電体層１４に覆われており、さらにその表面がＭｇＯ保護層１５に覆われている。
【００１７】
前面ガラス基板１１と対向して配置された背面ガラス基板１６上に、表示電極（１２、１３）と直交する方向に（交差するように）アドレス電極１７Ｒ、１７Ｇ、１７Ｂが形成されている。アドレス電極１７Ｒ、１７Ｇ、１７Ｂは、図１に示したアドレス電極Ａｊに対応する。アドレス電極１７Ｒ、１７Ｇ、１７Ｂの上には、誘電体層１８が設けられる。
【００１８】
さらに誘電体層１８上には、格子状に配置された、すなわち放電空間をセル毎に区画する閉鎖型の隔壁（リブ）１９、及びカラー表示のための赤色（Ｒ）、緑色（Ｇ）、青色（Ｂ）の可視光を発光する蛍光体層ＰＲ、ＰＧ、ＰＢが形成されている。対をなす表示電極（１２、１３）間の面放電で生じる紫外線によって蛍光体層ＰＲ、ＰＧ、ＰＢを励起して各色が発光する。
【００１９】
隔壁１９は、アドレス電極１７Ｒ、１７Ｇ、１７Ｂが延びる方向に形成された縦隔壁（縦リブ）と、表示電極（１２、１３）が延びる方向に形成された横隔壁（横リブ）とからなる。すなわち、本実施形態におけるプラズマディスプレイパネル１は、閉鎖型隔壁構造を有する。
【００２０】
蛍光体層ＰＲ、ＰＧ、ＰＢは、アドレス電極１７Ｒの上方に赤色に発光する蛍光体層ＰＲが形成され、アドレス電極１７Ｇの上方に緑色に発光する蛍光体層ＰＧが形成され、アドレス電極１７Ｂの上方に青色に発光する蛍光体層ＰＢが形成されている。言い換えれば、セル対応の隔壁１９内面に塗布されている赤色、緑色、青色の蛍光体層ＰＲ、ＰＧ、ＰＢに対応するようにしてアドレス電極１７Ｒ、１７Ｇ、１７Ｂが配置されている。
【００２１】
プラズマディスプレイパネル１は、前面ガラス基板１１と背面ガラス基板１６を、保護層１５と隔壁１９が接するように封着し、その内部（前面ガラス基板１１と背面ガラス基板１６との間の放電空間）にＮｅ−Ｘｅ等の放電ガスを封入して構成される。
【００２２】
図３は、本実施形態におけるプラズマディスプレイ装置の駆動方法の一例を説明するための図である。１つのフィールドは、複数のサブフィールドから構成される。図３には、一例として１つのフィールドが１０個のサブフィールド２０１〜２１０からなる構成を図示しているが、これに限定されるものではない。
【００２３】
各サブフィールド２０１〜２１０は、リセット期間２１１、アドレス期間２１２、及びサステイン期間２１３で構成される。リセット期間２１１において電極上の壁電荷状態を初期化し、アドレス期間２１２において表示画像データに基づいて壁電荷状態を調整して点灯させようとするセルを選択し、サステイン期間２１３で表示画像データに対応したセルを点灯させる（表示画像データに応じて選択されたセルを放電発光させる）。
【００２４】
本実施形態におけるプラズマディスプレイ装置においては、１フィールドが重み付けされたサステインパルス数を有する複数のサブフィールドで構成され、その複数のサブフィールドのうちの点灯するサブフィールドのパターンを選択することにより画像を階調表現することができる。すなわち、サブフィールド２０１〜２１０は、輝度の相対比率に応じた重み付けがなされ、どのサブフィールド２０１〜２１０で点灯させるかを選択することにより、階調表現が実現される。
【００２５】
図４は、第１の実施形態における制御回路５の構成例を示すブロック図である。
第１の実施形態における制御回路５は、表示負荷率検出部１０１、サステイン周波数比較部１０２、制御目標サステイン周波数供給部１０３、制御動作カウンタ１０４、及びサステイン周波数制御部１０５を有し、プラズマディスプレイパネルにおける表示画像データが入力され、Ｘ駆動回路２及びＹ駆動回路３に対してサステイン周波数ｆＳＵＳを出力する。ここで、サステイン周波数ｆＳＵＳは、所定時間あたり、例えば１秒間あたりに印加可能なサステインパルス数である。
【００２６】
表示負荷率検出部１０１は、プラズマディスプレイパネル１における表示画像データを入力として、表示画像データの表示負荷率を検出する。この表示負荷率とは、画面のセルの総数に対する点灯すべきセルの割合を示す値である。
【００２７】
サステイン周波数比較部１０２は、表示負荷率検出部１０１で検出された表示負荷率に応じて決定されたサステイン周波数と、制御目標サステイン周波数供給部１０３から供給される制御目標サステイン周波数とを比較し、その差分を計算する。
【００２８】
制御目標サステイン周波数供給部１０３は、プラズマディスプレイパネル１におけるパネル管面温度をある温度に制御するためのサステイン周波数を記憶しており、そのサステイン周波数を制御目標サステイン周波数として出力する。なお、制御目標サステイン周波数供給部１０３に記憶されるサステイン周波数は、あらかじめ測定等を行うことにより設定される。
【００２９】
制御動作カウンタ１０４は、サステイン周波数を制御目標サステイン周波数とする制御を開始するためのカウンタ及び制御を解放するためのカウンタである。この制御動作カウンタ１０４は、サステイン周波数比較部１０２で算出された表示負荷率に応じたサステイン周波数と制御目標サステイン周波数との差分に応じてカウント値の増減量が変化される。
【００３０】
例えば、制御動作カウンタ１０４は、サステイン周波数と制御目標サステイン周波数との差分が正（サステイン周波数＞制御目標サステイン周波数）である場合にはカウント値が増加される。そして、所定のカウント値に到達した場合にサステイン周波数を抑制するよう制御回路により制御目標サステイン周波数へとサステイン周波数を減少させる制御が行われる。また、例えば、制御動作カウンタ１０４は、サステイン周波数と制御目標サステイン周波数との差分が負（サステイン周波数＜制御目標サステイン周波数）である場合にはカウント値が減少される。そして、所定のカウント値に到達した場合に制御回路により制御目標サステイン周波数へとサステイン周波数を減少させる制御が停止され、例えば表示負荷率に応じたサステイン周波数に戻すよう制御される。
【００３１】
サステイン周波数制御部１０５は、プラズマディスプレイパネル１におけるサステイン周波数を制御する。サステイン周波数制御部１０５は、例えば制御動作カウンタ１０４のカウント値がある値を超えるまでは、表示負荷率検出部１０１で検出された表示負荷率に応じたサステイン周波数をサステイン周波数ｆＳＵＳとして出力する。また、サステイン周波数制御部１０５は、例えば制御動作カウンタ１０４のカウント値がある値を超えた場合には、制御目標サステイン周波数供給部１０３から供給される制御目標サステイン周波数をサステイン周波数ｆＳＵＳとして出力する。
【００３２】
次に、動作について説明する。
表示負荷率検出部１０１で検出された表示画像データの表示負荷率に応じたサステイン周波数と、制御目標サステイン周波数供給部１０３から供給される制御目標サステイン周波数との差分に応じて、制御動作カウンタ１０４のカウンタ値が増減される。例えば、サステイン周波数が制御目標サステイン周波数より大きい場合には、その差分に応じた変化量でカウント値が増加され、サステイン周波数が制御目標サステイン周波数より小さい場合には、その差分に応じた変化量でカウント値が減少される。
【００３３】
制御動作カウンタ１０４のカウント値がある値を超えるまでは、表示負荷率検出部１０１で検出された表示負荷率に応じたサステイン周波数がサステイン周波数制御部１０５よりサステイン周波数ｆＳＵＳとして出力される。そして、制御動作カウンタ１０４のカウント値が増加していき、カウント値がある値を超えると、制御目標サステイン周波数供給部１０３から供給される制御目標サステイン周波数がサステイン周波数制御部１０５よりサステイン周波数ｆＳＵＳとして出力される。この状態で、制御動作カウンタ１０４のカウント値が減少し、カウント値がある値以下となると、表示負荷率検出部１０１で検出された表示負荷率に応じたサステイン周波数がサステイン周波数制御部１０５よりサステイン周波数ｆＳＵＳとして出力される。
【００３４】
第１の実施形態によれば、表示画像データの表示負荷率に応じたサステイン周波数と制御目標サステイン周波数との差分に応じた変化量で制御動作カウンタ１０４のカウント値が増減され、そのカウント値に基づいてＸ駆動回路２及びＹ駆動回路３に対して出力されるサステイン周波数ｆＳＵＳが制御される。これにより、表示画像データの表示負荷率に応じたサステイン周波数が制御目標サステイン周波数を超えた頻度だけでなく、その差分も考慮してサステイン周波数ｆＳＵＳの制御を行うことができ、プラズマディスプレイパネルの熱破壊や焼付を防止することができる。
【００３５】
ここで、制御動作カウンタ１０４のカウント値がある値を超えた場合に、サステイン周波数制御部１０５より出力されるサステイン周波数ｆＳＵＳを表示負荷率に応じたサステイン周波数から制御目標サステイン周波数に抑制する制御は、複数のフレーム分の期間をかけて、例えば図５に示すように行われる。なお、サステイン周波数を減少させる傾き、すなわち単位時間あたり（例えば、１フレームあたり）のサステイン周波数の減少量は任意である。
【００３６】
（第２の実施形態）
次に、本発明の第２の実施形態について説明する。
【００３７】
ここで、前述した特許文献１、２に記載のような技術においては、総サステインパルス数が大きな値のままである状態が高い頻度で発生した場合には、高輝度の部分の面積が小さいパターンが頻繁に表示されている可能性があると判断して、総サステインパルス数を減少させる制御を行っている。具体的には、図６（ａ）に示すように、表示負荷率が大きくなった際に電力を所定値以下に保つようにサステインパルス数を減らす制御（破線から実線への制御）が行われている。この際に、図６（ｂ）に示すように、減少したサステインパルス数に応じて輝度も同様に減少する。
【００３８】
このような制御では、プラズマディスプレイパネルのパネル管面温度が高温となる、制御が必要となる表示以外においても、制御の動作条件を満たしてしまい、制御が動作してしまうことがある。そこで、パネル管面温度が上昇し、制御を動作させなければならない表示と、そうでない表示を切り分ける必要が生じる。以下に説明する実施形態は、パネル管面温度を抑制させる制御が必要となる表示のみで動作させることができるようにするものである。
【００３９】
第２の実施形態におけるプラズマディスプレイ装置の全体構成及びプラズマディスプレイパネルの構成は、第１の実施形態と同様であるので、その説明は省略する。
図７は、第２の実施形態における制御回路５の構成例を示すブロック図である。この図７において、図４に示したブロック等と同一の機能を有するブロック等には同一の符号を付し、重複する説明は省略する。
【００４０】
第２の実施形態における制御回路５は、表示負荷率検出部１０１、サステイン周波数比較部１０２、制御目標サステイン周波数供給部１０３、制御動作カウンタ１０４、及びサステイン周波数制御部１０５に加え、領域別表示負荷率検出部１１１、カウント領域決定部１１２、及びカウント最大値確認部１１３を有する。第２の実施形態における制御回路５は、プラズマディスプレイパネルにおける表示画像データが入力され、Ｘ駆動回路２及びＹ駆動回路３に対してサステイン周波数ｆＳＵＳを出力する。
【００４１】
領域別表示負荷率検出部１１１は、表示画像データを入力として、表示画像データの表示負荷率を複数の領域別に検出する。領域別表示負荷率検出部１１１は、例えば図８に一例を示すような領域別に表示負荷率を検出する。図８には、表示画面を縦方向にｎ分割し、横方向にｍ分割して、画面全体をｎ×ｍのブロックＬ１11〜Ｌ１nmの領域に分割した例を示している。
【００４２】
カウント領域決定部１１２は、サステイン周波数比較部１０２で算出された表示負荷率に応じたサステイン周波数と制御目標サステイン周波数との差分に基づきカウント値が増減される領域を、領域別表示負荷率検出部１１１で検出された領域毎の表示負荷率に応じて選択し決定する。ここで、本実施形態では、制御動作カウンタ１０４は、各領域に対応する複数のカウンタからなる。したがって、領域別表示負荷率検出部１１１で選択された領域のカウンタのカウント値が、サステイン周波数比較部１０２で算出された表示負荷率に応じたサステイン周波数と制御目標サステイン周波数との差分に応じて増減され、その他の領域のカウンタのカウント値は維持される。
【００４３】
カウント最大値確認部１１３は、制御動作カウンタ１０４における各領域に対応する複数のカウンタの最大値を確認する。そして、本実施形態では、この最大値に基づいて、サステイン周波数制御部１０５より出力されるサステイン周波数ｆＳＵＳが制御される。
【００４４】
前述した第１の実施形態と同様に、表示負荷率検出部１０１で検出された表示画像データの表示負荷率に応じたサステイン周波数と、制御目標サステイン周波数供給部１０３から供給される制御目標サステイン周波数との差分に応じて、制御動作カウンタ１０４のカウント値が増減される。例えば、サステイン周波数が制御目標サステイン周波数より大きい場合には、その差分に応じた変化量でカウント値が増加され、サステイン周波数が制御目標サステイン周波数より小さい場合には、その差分に応じた変化量でカウント値が減少される。
【００４５】
ただし、第２の実施形態では、領域別表示負荷率検出部１１１で選択された領域のカウンタのカウント値が、表示負荷率検出部１０１で検出された表示画像データの表示負荷率に応じたサステイン周波数と、制御目標サステイン周波数供給部１０３から供給される制御目標サステイン周波数との差分に応じて増減される。
【００４６】
制御動作カウンタ１０４における各領域に対応する複数のカウンタの最大値がある値を超えるまでは、表示負荷率検出部１０１で検出された表示負荷率に応じたサステイン周波数がサステイン周波数制御部１０５よりサステイン周波数ｆＳＵＳとして出力される。そして、制御動作カウンタ１０４における各領域に対応する複数のカウンタの最大値がある値を超えると、制御目標サステイン周波数供給部１０３から供給される制御目標サステイン周波数がサステイン周波数制御部１０５よりサステイン周波数ｆＳＵＳとして出力される。この状態で、制御動作カウンタ１０４における各領域に対応する複数のカウンタの最大値がある値以下となると、表示負荷率検出部１０１で検出された表示負荷率に応じたサステイン周波数がサステイン周波数制御部１０５よりサステイン周波数ｆＳＵＳとして出力される。
【００４７】
第２の実施形態によれば、第１の実施形態と同様に表示画像データの表示負荷率に応じたサステイン周波数が制御目標サステイン周波数を超えた頻度だけでなく、その差分も考慮してサステイン周波数ｆＳＵＳの制御を行うことができ、さらにはパネル管面温度を抑制させる制御が必要となる表示に対して適切に制御を行うことができ、プラズマディスプレイパネルの熱破壊や焼付を防止することができる。
【００４８】
（第３の実施形態）
次に、本発明の第３の実施形態について説明する。
第３の実施形態におけるプラズマディスプレイ装置の全体構成及びプラズマディスプレイパネルの構成は、第１の実施形態と同様であるので、その説明は省略する。
【００４９】
図９は、第３の実施形態における制御回路５の構成例を示すブロック図である。この図９において、図４及び図７に示したブロック等と同一の機能を有するブロック等には同一の符号を付し、重複する説明は省略する。
【００５０】
第３の実施形態における制御回路５は、表示負荷率検出部１０１、サステイン周波数比較部１０２、制御目標サステイン周波数供給部１０３、制御動作カウンタ１０４、サステイン周波数制御部１０５、領域別表示負荷率検出部１１１、カウント最大値確認部１１３、及び表示負荷率分散値演算部１２１を有する。第３の実施形態における制御回路５は、プラズマディスプレイパネルにおける表示画像データが入力され、Ｘ駆動回路２及びＹ駆動回路３に対してサステイン周波数ｆＳＵＳを出力する。
【００５１】
表示負荷率分散値演算部１２１は、表示負荷率検出部１０１で検出された表示画像データの画面全体の表示負荷率と、領域別表示負荷率検出部１１１で検出された領域別の表示負荷率とを入力として、表示画像データの画面全体の表示負荷率と領域別の表示負荷率との差を分散値として分割した領域の数だけ加算していく。
【００５２】
そして、本実施形態では、表示負荷率分散値演算部１２１で演算された分散値が所定の値を超えた場合には、映像が偏り負荷が集中していると判断し、サステイン周波数比較部１０２で算出された表示負荷率に応じたサステイン周波数と制御目標サステイン周波数との差分に応じて制御動作カウンタ１０４のカウント値が増減される。ここで、本実施形態においても、制御動作カウンタ１０４は、各領域に対応する複数のカウンタからなり、領域別表示負荷率検出部１１１で検出された領域別の表示負荷率に応じて選択された領域のカウンタのカウント値が、サステイン周波数比較部１０２で算出された表示負荷率に応じたサステイン周波数と制御目標サステイン周波数との差分に応じて増減される。
【００５３】
第３の実施形態によれば、表示画像データの表示負荷率に応じたサステイン周波数が制御目標サステイン周波数を超えた頻度だけでなく、その差分も考慮してサステイン周波数ｆＳＵＳの制御を行うことができるとともに、パネル管面温度を抑制させる制御が必要となる表示に対して適切に制御を行うことができ、プラズマディスプレイパネルの熱破壊や焼付を防止することができる。
【００５４】
（第４の実施形態）
次に、本発明の第４の実施形態について説明する。
第４の実施形態におけるプラズマディスプレイ装置の全体構成及びプラズマディスプレイパネルの構成は、第１の実施形態と同様であるので、その説明は省略する。
【００５５】
図１０は、第４の実施形態における制御回路５の構成例を示すブロック図である。この図１０において、図４、図７に示したブロック等と同一の機能を有するブロック等には同一の符号を付し、重複する説明は省略する。
【００５６】
第４の実施形態における制御回路５は、表示負荷率検出部１０１、サステイン周波数比較部１０２、制御目標サステイン周波数供給部１０３、制御動作カウンタ１０４、サステイン周波数制御部１０５、領域別表示負荷率検出部１１１、カウント最大値確認部１１３、ＳＦ（サブフィールド）表示負荷率検出部１３１及び表示熱分散値演算部１３２を有する。第４の実施形態における制御回路５は、プラズマディスプレイパネルにおける表示画像データが入力され、Ｘ駆動回路２及びＹ駆動回路３に対してサステイン周波数ｆＳＵＳを出力する。
【００５７】
ＳＦ表示負荷率検出部１３１は、表示画像データを入力として、表示画像データのＳＦ表示負荷率を検出する。
表示熱分散値演算部１３２は、表示負荷率検出部１０１で検出された表示画像データの画面全体の表示負荷率と、領域別表示負荷率検出部１１１で検出された領域別の表示負荷率と、ＳＦ表示負荷率検出部１３１で検出されたＳＦ表示負荷率とを入力として、表示画像データの画面全体の表示負荷率と領域別の表示負荷率との差を分散値として分割した領域の数だけ加算していき、さらに分散値にＳＦ表示負荷率検出部１３１で検出された少なくとも１つのＳＦ表示負荷率をかけることで熱分散値を演算する。
【００５８】
そして、本実施形態では、表示熱分散値演算部１３２で演算された熱分散値が所定の値を超えた場合には、負荷が集中し熱が偏っていると判断し、サステイン周波数比較部１０２で算出された表示負荷率に応じたサステイン周波数と制御目標サステイン周波数との差分に応じて制御動作カウンタ１０４のカウント値が増減される。ここで、本実施形態においても、制御動作カウンタ１０４は、各領域に対応する複数のカウンタからなり、領域別表示負荷率検出部１１１で検出された領域別の表示負荷率に応じて選択された領域のカウンタのカウント値が、サステイン周波数比較部１０２で算出された表示負荷率に応じたサステイン周波数と制御目標サステイン周波数との差分に応じて増減される。
【００５９】
第４の実施形態によれば、表示画像データの表示負荷率に応じたサステイン周波数が制御目標サステイン周波数を超えた頻度だけでなく、その差分も考慮してサステイン周波数ｆＳＵＳの制御を行うことができるとともに、パネル管面温度を抑制させる制御が必要となる表示に対して適切に制御を行うことができ、プラズマディスプレイパネルの熱破壊や焼付を防止することができる。
【００６０】
（第５の実施形態）
次に、本発明の第５の実施形態について説明する。
第５の実施形態におけるプラズマディスプレイ装置の全体構成及びプラズマディスプレイパネルの構成は、第１の実施形態と同様であるので、その説明は省略する。
【００６１】
図１１は、第５の実施形態における制御回路５の構成例を示すブロック図である。この図１１において、図４及び図７に示したブロック等と同一の機能を有するブロック等には同一の符号を付し、重複する説明は省略する。
【００６２】
第５の実施形態における制御回路５は、表示負荷率検出部１０１、サステイン周波数比較部１０２、制御目標サステイン周波数供給部１０３、制御動作カウンタ１０４、サステイン周波数制御部１０５、領域別表示負荷率検出部１１１、カウント最大値確認部１１３、静止画判定部１４１、及び領域別表示負荷率保存部１４２を有する。第５の実施形態における制御回路５は、プラズマディスプレイパネルにおける表示画像データが入力され、Ｘ駆動回路２及びＹ駆動回路３に対してサステイン周波数ｆＳＵＳを出力する。
【００６３】
領域別表示負荷率保存部１４２は、領域別表示負荷率検出部１１１で検出された領域別の表示負荷率が入力され、それを保存する。すなわち、領域別表示負荷率保存部１４２は、現在のフレームより１つ前のフレームにおいて領域別表示負荷率検出部１１１で検出された領域別の表示負荷率が格納される。
【００６４】
静止画判定部１４１は、領域別表示負荷率検出部１１１で検出された領域別の表示負荷率と、領域別表示負荷率保存部１４２に保存されている領域別の表示負荷率とを比較し、すなわち現在のフレームの表示負荷率と１つ前のフレームの表示負荷率とを比較し、表示画像が静止画であるか否かを判定する。例えば、静止画判定部１４１は、領域別表示負荷率検出部１１１で検出された（現在のフレームの）表示負荷率と、領域別表示負荷率保存部１４２に保存されている（１つ前のフレーム）の表示負荷率との差を求め、差が所定の値より小さい場合には表示画像が静止画であると判定し、そうでない場合には動画であると判定する。
【００６５】
そして、本実施形態では、静止画判定部１４１により表示画像が静止画であると判定された場合には、サステイン周波数比較部１０２で算出された表示負荷率に応じたサステイン周波数と制御目標サステイン周波数との差分に応じて制御動作カウンタ１０４のカウント値が増減される。ここで、本実施形態においても、制御動作カウンタ１０４は、各領域に対応する複数のカウンタからなり、領域別表示負荷率検出部１１１で検出された領域別の表示負荷率に応じて選択された領域のカウンタのカウント値が、サステイン周波数比較部１０２で算出された表示負荷率に応じたサステイン周波数と制御目標サステイン周波数との差分に応じて増減される。
【００６６】
第５の実施形態によれば、現在のフレームの表示負荷率と１つ前のフレームの表示負荷率との差に応じて制御動作カウンタを有効にし、サステイン周波数比較部１０２で算出された表示負荷率に応じたサステイン周波数と制御目標サステイン周波数との差分に応じてカウンタ値を増減させる。これにより、表示画像データの表示負荷率に応じたサステイン周波数が制御目標サステイン周波数を超えた頻度だけでなく、その差分も考慮してサステイン周波数ｆＳＵＳの制御を行うことができるとともに、表示画像に応じて適切に制御を行うことができ、プラズマディスプレイパネルの熱破壊や焼付を防止することができる。
【００６７】
（第６の実施形態）
次に、本発明の第６の実施形態について説明する。
第６の実施形態におけるプラズマディスプレイ装置の全体構成及びプラズマディスプレイパネルの構成は、第１の実施形態と同様であるので、その説明は省略する。
【００６８】
図１２は、第６の実施形態における制御回路５の構成例を示すブロック図である。この図１２において、図４及び図１０に示したブロック等と同一の機能を有するブロック等には同一の符号を付し、重複する説明は省略する。
【００６９】
第６の実施形態における制御回路５は、表示負荷率検出部１０１、サステイン周波数比較部１０２、制御目標サステイン周波数供給部１０３、制御動作カウンタ１０４、サステイン周波数制御部１０５、及びＳＦ（サブフィールド）表示負荷率検出部１３１を有する。第６の実施形態における制御回路５は、プラズマディスプレイパネルにおける表示画像データが入力され、Ｘ駆動回路２及びＹ駆動回路３に対してサステイン周波数ｆＳＵＳを出力する。
【００７０】
サブフィールド法によるプラズマディスプレイ装置の駆動方法においては、重みの大きいサブフィールドほど表示負荷に及ぼす影響は大きい。そこで、本実施形態では、ＳＦ表示負荷率検出部１３１で検出された重みが大きい側から少なくとも一つのサブフィールドのＳＦ表示負荷率が所定の値を超えた場合には、サステイン周波数比較部１０２で算出された表示負荷率に応じたサステイン周波数と制御目標サステイン周波数との差分に応じて制御動作カウンタ１０４のカウント値が増減される。
【００７１】
このようにすることで、煩雑な処理を行うことなく、表示画像データの表示負荷率に応じたサステイン周波数が制御目標サステイン周波数を超えた頻度だけでなく、その差分も考慮してサステイン周波数ｆＳＵＳの制御を行うことができ、プラズマディスプレイパネルの熱破壊や焼付を防止することができる。
【００７２】
（第７の実施形態）
次に、本発明の第７の実施形態について説明する。
第７の実施形態におけるプラズマディスプレイ装置の全体構成及びプラズマディスプレイパネルの構成は、第１の実施形態と同様であるので、その説明は省略する。
【００７３】
図１３は、第７の実施形態における制御回路５の構成例を示すブロック図である。この図１３において、図４に示したブロック等と同一の機能を有するブロック等には同一の符号を付し、重複する説明は省略する。
【００７４】
第７の実施形態における制御回路５は、表示負荷率検出部１０１、サステイン周波数比較部１０２、制御目標サステイン周波数供給部１０３、制御動作カウンタ１０４、サステイン周波数制御部１０５、及び環境温度検出部１５１を有し、プラズマディスプレイパネルにおける表示画像データが入力され、Ｘ駆動回路２及びＹ駆動回路３に対してサステイン周波数ｆＳＵＳを出力する。
【００７５】
第７の実施形態では、環境温度検出部１５１により環境温度を検出し、その検出結果に応じて制御目標サステイン周波数供給部１０３から出力される制御目標サステイン周波数を変化させる。制御目標サステイン周波数供給部１０３は、例えば、図１４に示すように環境温度が高くなるほど制御目標サステイン周波数が低くなるような環境温度と制御目標サステイン周波数との関係を示すテーブルを有しており、環境温度検出部１５１により検出された環境温度に応じて制御目標サステイン周波数を決定し出力する。例えば、制御目標サステイン周波数供給部１０３は、環境温度検出部１５１により検出された環境温度がＴ１であれば制御目標サステイン周波数としてＮ１を出力し、環境温度がＴ２であれば制御目標サステイン周波数としてＮ２を出力する。
【００７６】
なお、検出した環境温度に応じて制御目標サステイン周波数を変化させる点が異なるだけで、他は前述した第１の実施形態と同様である。また、図１３においては、前述した第１の実施形態に適用した場合を一例として示したが、その他の各実施形態にも同様に適用可能である。
【００７７】
第７の実施形態によれば、制御目標サステイン周波数を環境温度に応じて変更し、表示画像データの表示負荷率に応じたサステイン周波数が制御目標サステイン周波数を超えた頻度及び差分に応じてサステイン周波数ｆＳＵＳの制御を行うことができ、プラズマディスプレイパネルの熱破壊や焼付を防止することができる。
【００７８】
（第８の実施形態）
次に、本発明の第８の実施形態について説明する。
第８の実施形態におけるプラズマディスプレイ装置の全体構成及びプラズマディスプレイパネルの構成は、第１の実施形態と同様であるので、その説明は省略する。
【００７９】
図１５は、第８の実施形態における制御回路５の構成例を示すブロック図である。この図１５において、図４に示したブロック等と同一の機能を有するブロック等には同一の符号を付し、重複する説明は省略する。
【００８０】
第８の実施形態における制御回路５は、表示負荷率検出部１０１、サステイン周波数比較部１０２、制御目標サステイン周波数供給部１０３、制御動作カウンタ１０４、サステイン周波数制御部１０５、及びファン風量決定部１６１を有し、プラズマディスプレイパネルにおける表示画像データが入力され、Ｘ駆動回路２及びＹ駆動回路３に対してサステイン周波数ｆＳＵＳを出力する。
【００８１】
第８の実施形態では、ファン風量決定部１６１によりプラズマディスプレイ装置のファンが動作しているか否か（オン／オフ）を検出し、その検出結果に応じて制御目標サステイン周波数供給部１０３から出力される制御目標サステイン周波数を変化させる。制御目標サステイン周波数供給部１０３は、例えば、ファンが動作していない場合には、ファンが動作している場合よりも制御目標サステイン周波数が低く設定されるテーブルを有しており、ファン風量決定部１６１での検出結果に応じて制御目標サステイン周波数を決定し出力する。
【００８２】
なお、検出したファンの動作状態に応じて制御目標サステイン周波数を変化させる点が異なるだけで、他は前述した第１の実施形態と同様である。また、図１５においては、前述した第１の実施形態に適用した場合を一例として示したが、その他の各実施形態にも同様に適用可能である。
【００８３】
第８の実施形態によれば、制御目標サステイン周波数をプラズマディスプレイ装置のファンの動作状態に応じて変更し、表示画像データの表示負荷率に応じたサステイン周波数が制御目標サステイン周波数を超えた頻度及び差分に応じてサステイン周波数ｆＳＵＳの制御を行うことができ、プラズマディスプレイパネルの熱破壊や焼付を防止することができる。
【００８４】
なお、前述した第３〜第５の実施形態においては、制御動作カウンタ１０４は各領域に対応する複数のカウンタで構成されるものとしているが、表示画面全体で１つのカウンタを用い、所定の条件を満たす場合にそのカウンタ値を増減させるようにしても良い。また、前述した第６の実施形態において、制御動作カウンタ１０４は表示画面全体に対応した１つのカウンタとしているが、前述した第３〜第５の実施形態等と同様に各領域に対応する複数のカウンタで構成されるようにして領域毎の表示負荷率等を考慮してカウンタ値を増減させるようにしても良い。また、前述した実施形態の中から複数の実施形態を選択し、それらを組み合わせて制御回路を構成するようにしても良い。
【００８５】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００８６】
【図１】本発明の実施形態におけるプラズマディスプレイ装置の構成例を示す図である。
【図２】本実施形態におけるプラズマディスプレイパネルの構成例を示す分解斜視図である。
【図３】本実施形態におけるプラズマディスプレイ装置の駆動方法の一例を説明するための図である。
【図４】第１の実施形態における制御回路の構成例を示す図である。
【図５】サステイン周波数制御部によるサステイン周波数の制御例を示す図である。
【図６】従来の表示負荷率とサステインパルス数及び電力との関係、ウィンドウ表示負荷率と輝度との関係の一例を示す図である。
【図７】第２の実施形態における制御回路の構成例を示す図である。
【図８】本実施形態における表示画面の領域分割の一例を示す図である。
【図９】第３の実施形態における制御回路の構成例を示す図である。
【図１０】第４の実施形態における制御回路の構成例を示す図である。
【図１１】第５の実施形態における制御回路の構成例を示す図である。
【図１２】第６の実施形態における制御回路の構成例を示す図である。
【図１３】第７の実施形態における制御回路の構成例を示す図である。
【図１４】第７の実施形態における環境温度と制御目標サステイン周波数との関係の一例を示す図である。
【図１５】第８の実施形態における制御回路の構成例を示す図である。
【符号の説明】
【００８７】
１  プラズマディスプレイパネル
２  Ｘ駆動回路
３  Ｙ駆動回路
４  アドレス駆動回路
５  制御回路
１０１  表示負荷率検出部
１０２  サステイン周波数比較部
１０３  制御目標サステイン周波数供給部
１０４  制御動作カウンタ
１０５  サステイン周波数制御部
１１１  領域別表示負荷率検出部
１１２  カウント領域決定部
１１３  カウント最大値確認部
１２１  表示負荷率分散値演算部
１３１  ＳＦ表示負荷率検出部
１３２  表示熱分散値演算部
１４１  静止画判定部
１４２  領域別表示負荷率保存部
１５１  環境温度検出部
１６１  ファン風量決定部
【図１】
2010164840.tif 000003
【図２】
2010164840.tif 000004
【図３】
2010164840.tif 000005
【図４】
2010164840.tif 000006
【図５】
2010164840.tif 000007
【図６】
2010164840.tif 000008
【図７】
2010164840.tif 000009
【図８】
2010164840.tif 000010
【図９】
2010164840.tif 000011
【図１０】
2010164840.tif 000012
【図１１】
2010164840.tif 000013
【図１２】
2010164840.tif 000014
【図１３】
2010164840.tif 000015
【図１４】
2010164840.tif 000016
【図１５】
2010164840.tif 000017